(57)【要約】【課題】車両用アウタミラー装置における剥離に起因する空力騒音の低減を、他の要因による騒音を生じることなく適切に行い、車室内静粛性の向上を図ること。【解決手段】少なくとも、空気取入口２４のスロット延在方向の長さが空気吹出口２６のスロット延在方向の長さより短いか、空気取入口２４と空気吹出口２６とが互いに非平行な部分を含んでいることにより、空気取入口２４と空気吹出口２６との間の空気流れの距離ａ、ｂが車体内側の部分と車体外側の部分とで相違し、空気吹出口２６より吹き出る空気の流速の最適化を図る。【選択図】図２
2016155422.tif 000002
【特許請求の範囲】
【請求項１】
ミラー本体と、外向きに凸曲面をなす外壁面をもって前記ミラー本体の車体前方側を覆うカバーとを有し、
前記カバーの車体前側に空気取入口が開口し、前記カバーの前記空気取入口より車体後側に空気吹出口が開口し、前記空気取入口と前記空気吹出口とが前記カバー内に形成された連通路によって連通している車両用アウタミラー装置であって、
前記空気取入口および前記空気吹出口は車体幅方向に延在するスロット状開口であり、前記連通路は前記空気取入口および前記空気吹出口に各々のスロット延在方向の全域に亘って接続されるべくスロット延在方向に拡がった幅広形状をしており、
少なくとも、前記空気取入口のスロット延在方向の長さが前記空気吹出口のスロット延在方向の長さより短いか、前記空気取入口と前記空気吹出口とは互いに非平行な部分を含んでいることを特徴とする車両用アウタミラー装置。
【請求項２】
車体側部に車体の外側方に突出して取り付けられるアウトサイドミラー装置であり、前記カバーが車体幅方向に長い砲弾形をしており、前記空気取入口の車体外側の端部が前記空気吹出口の端部より車体内側にあることを特徴とする請求項１に記載の車両用アウタミラー装置。
【請求項３】
車体側部に車体の外側方に突出して取り付けられるアウトサイドミラー装置であり、前記カバーが車体幅方向に長い砲弾形をしており、前記空気吹出口は前記空気取入口より遠ざかる方向に傾斜した部分を含んでいることを特徴とする請求項１または２に記載の車両用アウタミラー装置。
【請求項４】
前記空気吹出口が、車両の走行によって前記外壁面に沿って流れる空気流が前記外壁面から剥離する剥離部より当該空気流で見て上流側に設けられていることを特徴とする請求項１から３の何れか一項に記載の車両用アウタミラー装置。
【請求項５】
前記連通路の車体後方側の壁が、前記連通路における空気の流れ方向に沿って車体後方に向けて凸をなす湾曲形状をなしていることを特徴とする請求項１から４の何れか一項に記載の車両用アウタミラー装置。
【発明の詳細な説明】
【技術分野】
【０００１】
本発明は、車両用アウタミラー装置に関し、更に詳細には、自動車のサイドドアやフロントピラー等に取り付けられるアウトサイドミラー装置であって、空力騒音の低減に着目した車両用アウタミラー装置に関する。
【背景技術】
【０００２】
空力騒音の低減に着目した車両用アウタミラー装置として、ミラーカバーの前部に空気取入口が設けられ、ミラーバイザーとミラーカバーとの見切り部近傍に空気吹出口が設けられ、更に空気取入口に取り入れられた空気（走行風）を空気吹出口に案内する空気流路（連通路）がミラーカバーに形成され、空気取入口に取り入れられた空気が連通路を流れて空気吹出口より外部に吹き出されるように構成されたものが知られている（例えば、特許文献１）。
【０００３】
この車両用アウタミラー装置では、空気吹出口から吹き出される空気によって見切り部近傍に乱流が発生し、当該乱流と、ミラーカバーの外壁面に沿って流れる空気流の剥離（層流剥離）によって見切り部近傍に発生する空気の渦とが干渉することにより、層流剥離による連続的な渦の発生が阻止され、連続的な渦の発生に起因する空力騒音が低減する効果が得られる。
【先行技術文献】
【特許文献】
【０００４】
【特許文献１】特開２０１３−１０００３７号公報
【発明の概要】
【発明が解決しようとする課題】
【０００５】
層流剥離による空力騒音はミラーカバーの外壁面に沿って流れる空気の流速に関連し、空気流速が速いほど剥離点近傍の境界層厚さが薄くなることにより、発生する空力騒音の音圧レベルが高くなる。この剥離による空力騒音を、空気吹出口から吹き出される空気の吹き出し音等の他の要因による騒音を生じることなく低減するには、空気吹出口から吹き出る空気の流速がミラーカバーの外壁面の音圧分布に応じた過不足のないものである必要がある。
【０００６】
このことに対して、特許文献１に示されているものでは、そのような考慮がなされていないので、空気吹出口のある部位では空気吹出口から吹き出される空気の流速不足によって剥離による空力騒音の低減が確実に行われず、空気吹出口の他の部位では空気吹出口から吹き出される空気の流速過剰によって空気吹出口から吹き出される空気の流れに起因する騒音が生じる虞があり、車室内静粛性を阻害する。
【０００７】
本発明が解決しようとする課題は、車両用アウタミラー装置における剥離に起因する空力騒音の低減を、他の要因による騒音を生じることなく適切に行い、車室内静粛性の向上を図ることである。
【課題を解決するための手段】
【０００８】
本発明による車両用アウタミラー装置は、ミラー本体（１２）と、外向きに凸曲面をなす外壁面をもって前記ミラー本体（１２）の車体前方側を覆うカバー（１４）とを有し、前記カバー（１４）の車体前側に空気取入口（２６）が開口し、前記カバー（１４）の前記空気取入口（２４）より車体後側に空気吹出口（２６）が開口し、前記空気取入口（２４）と前記空気吹出口（２６）とが前記カバー（１４）内に形成された連通路（２８）によって連通している車両用アウタミラー装置であって、前記空気取入口（２４）および前記空気吹出口（２６）は車体幅方向に延在するスロット状開口であり、前記連通路（２８）は前記空気取入口（２４）および前記空気吹出口（２６）に各々のスロット延在方向の全域に亘って接続されるべくスロット延在方向に拡がった幅広形状をしており、少なくとも、前記空気取入口（２４）のスロット延在方向の長さが前記空気吹出口（２６）のスロット延在方向の長さより短いか、前記空気取入口（２４）と前記空気吹出口（２６）とは互いに非平行な部分を含んでいる。
【０００９】
この構成によれば、空気取入口（２４）と空気吹出口（２６）との間の空気流れの距離（ａ、ｂ）が車体内側の部分と車体外側の部分とで相違し、空気吹出口（２６）より吹き出る空気の流速の最適化が図られ、剥離に起因する空力騒音の低減が、他の要因による騒音を生じることなく適切に行われ、車室内静粛性が向上する。
【００１０】
本発明による車両用アウタミラー装置は、好ましくは、車体側部に車体の外側方に突出して取り付けられるアウトサイドミラー装置であり、前記カバー（１４）が車体幅方向に長い砲弾形をしており、前記空気取入口（２４）の車体外側の端部が前記空気吹出口（２６）の端部より車体内側にある。
【００１１】
この構成によれば、空気吹出口（２６）のうち車体外側の領域（Ｂ）より吹き出る空気の流速が、車体内側の領域（Ａ）より吹き出る空気の流速より遅くなり、領域（Ａ）において、空気吹出口（２６）より吹き出る空気の流速不足を生じることなく、車体外側に比して音圧レベルが高い高騒音領域になる車体内側の剥離による騒音の低減が確実に行われ、領域（Ｂ）においては、空気吹出口（２６）より吹き出る空気の流速が過剰になることがなく、車体外側に比して音圧レベルが低い低騒音領域になる車体内側の剥離による騒音の低減が、空気吹出口（２６）から吹き出される空気の流れに起因する騒音を生じることなく確実に行われる。
【００１２】
本発明による車両用アウタミラー装置は、好ましくは、車体側部に車体の外側方に突出して取り付けられるアウトサイドミラー装置であり、前記カバー（１４）が車体幅方向に長い砲弾形をしており、前記空気吹出口（２６）は前記空気取入口（２４）より遠ざかる方向に傾斜した部分（２６Ｃ）を含んでいる。
【００１３】
この構成によれば、傾斜した部分（２６Ｃ）より吹き出る空気の流速より遅くなり、剥離による騒音の低減が、空気吹出口（２６）から吹き出される空気の流れに起因する騒音を生じることなく確実に行われる。
【００１４】
本発明による車両用アウタミラー装置は、好ましくは、前記空気吹出口（２６）が、車両の走行によって前記外壁面に沿って流れる空気流が前記外壁面から剥離する剥離部（Ｘ）より当該空気流で見て上流側に設けられている。
【００１５】
この構成によれば、剥離部（Ｘ）より下流側の２次元渦の発生が抑制され、車両用アウタミラー装置を音源とする空力騒音の低減が効果的に行われる。
【００１６】
本発明による車両用アウタミラー装置は、好ましくは、前記連通路（２８）の車体後方側の壁（３０）が、前記連通路（２８）における空気の流れ方向に沿って車体後方に向けて凸をなす湾曲形状をなしている。
【００１７】
この構成によれば、連通路（２８）の車体後方側の壁（３０）が空気取入口（２４）および空気吹出口（２６）に折れ曲がり部を含むことなく滑らかに接続され、壁（３０）に沿って流れる空気は、空気取入口（２４）から空気吹出口（２６）まで滑らかに連続する流線をもって流れるから、空気取入口（２４）付近の流路抵抗が大きくなることがなく、圧損が低減し、空気が空気取入口（２４）から連通路（２８）に良好に取り入れられ、空力騒音を低減するのに必要な空気量を確保するために空気取入口（２４）の開口面積や連通路（２８）の通路断面積を大きくする必要がなくなる。また、空気吹出口（２６）付近の流路抵抗も大きくなることがないから、空気吹出口（２６）から外部に吹き出る空気の流速が低下することがなく、圧損が低減し、空気吹出口（２６）から外部に吹き出る空気の吹き出し方向が不規則なものになることもない。これらのことにより、車両用アウタミラー装置を音源とする空力騒音の低減がミラーカバーの小型化やデザイン性を損ねることなく効果的に行われ、車室内の静粛性が向上する。
【発明の効果】
【００１８】
本発明による車両用アウタミラー装置によれば、空気取入口と空気吹出口との間の空気流れの距離が車体内側の部分と車体外側の部分とで相違し、空気吹出口より吹き出る空気の流速の最適化が図られ、剥離に起因する空力騒音の低減が、他の要因による騒音を生じることなく適切に行われ、車室内静粛性が向上する。
【図面の簡単な説明】
【００１９】
【図１】本発明による車両用アウタミラー装置を装着された自動車の要部の斜視図
【図２】本発明による車両用アウタミラー装置の実施形態１を示す正面図
【図３】実施形態１による車両用アウタミラー装置の平面図
【図４】図２の線IV−IVに沿った断面図
【図５】本発明による車両用アウタミラー装置の実施形態２を示す断面図（図２の線IV−IVに沿った断面図に相当）
【図６】本発明による車両用アウタミラー装置の実施形態３を示す正面図
【図７】実施形態３による車両用アウタミラー装置の平面図
【図８】本発明による車両用アウタミラー装置の他の実施形態を示す正面図
【図９】本発明による車両用アウタミラー装置の他の実施形態を示す断面図（図２の線IV−IVに沿った断面図に相当）
【図１０】本発明による車両用アウタミラー装置の他の実施形態を示す断面図（図２の線IV−IVに沿った断面図に相当）
【発明を実施するための形態】
【００２０】
以下に、本発明による車両用アウタミラー装置の実施形態１を、図１〜図４を参照して説明する。
【００２１】
アウタミラー装置１０は、図１に示されているように、自動車のサイドドア５０の前側部分に固定されている取付プレート５２によって車体の外側方に突出して取り付けられるアウトサイドミラー装置である。アウタミラー装置１０は、平面鏡あるいは凸面鏡によるミラー本体（鏡体）１２と、ミラー本体１２の車体前方側を覆う樹脂成形品によるアウタカバー１４とを有する。なお、図示していないが、アウタミラー装置１０は、サイドドア５０に直接取り付けるように構成してもよい。
【００２２】
アウタカバー１４は、図２〜図４に示されているように、上壁１４Ａと、下壁１４Ｂと、前壁１４Ｃと、左右の側壁１４Ｄ、１４Ｅとを有し、隣接する壁同士が曲面形状の壁によって滑らかに接続され、車体後方側の全体が開口していて、全体として外向きに凸曲面をなす外壁面によって横長（左右方向に長い）の砲弾形の流線形状をしている。
【００２３】
図３に示されているように、アウタカバー１４の内側にはインナカバー１６が固定されている。インナカバー１６は、車体後方側の全体が開口した箱形の樹脂成形品により構成され、開口部１６Ａを画定するカール形状の後端縁部１６Ｂによってアウタカバー１４の後端縁部１４Ｆに面一の外壁面になるように接続されている。
【００２４】
インナカバー１６内の開口部１６Ａの近傍にミラー本体１２が配置されている。インナカバー１６は、車体前方側に、自身の内部空間１６Ｃとアウタカバー１４の内部空間１４Ｇとを区切る隔壁１６Ｄを有しており、隔壁１６Ｄの車体後方側、換言すると、内部空間１６Ｃに、ミラー本体１２の角度を可変設定する電動式の駆動装置１８を内蔵している。
【００２５】
インナカバー１６は隔壁１６Ｄより車体前方側に延出した拡張壁１６Ｅを有している。隔壁１６Ｄと拡張壁１６Ｅとの間の空間には電気ボックス（機器）２０が配置され、拡張壁１６Ｅの車体前方側の内室（内部空間１４Ｇ）には内蔵用機器２２が配置されている。
【００２６】
このようにして、アウタカバー１４内およびインナカバー１６内には、駆動装置１８、電気ボックス２０、内蔵用機器２２が収容されている。駆動装置１８、電気ボックス２０、内蔵用機器２２は、全てインナカバー１６に固定されており、これらを取り付けられたインナカバー１６がサブアッシーとしてアウタカバー１４に装着される構造になっている。
【００２７】
図２〜図４に示されているように、アウタカバー１４の車体前側、つまり前壁１４Ｃには空気取入口２４が開口している。アウタカバー１４の車体後側、つまり上壁１４Ａには空気吹出口２６が開口している。空気取入口２４および空気吹出口２６は、車体幅方向、つまり左右方向に延在するスロット状の開口によって構成されている。空気吹出口２６は、車両の走行によって上壁１４Ａの外壁面に沿って流れる空気流Ｆａが上壁１４Ａの外面から剥離する剥離部（自然剥離部）Ｘより空気流Ｆａで見て上流側（車体前側）に設けられている。剥離部Ｘは左右方向に線状に延在するから、空気吹出口２６は剥離部Ｘの略全域に亘って剥離部Ｘに略平行に左右方向に延在するスロット状開口によって構成されている。
【００２８】
空気取入口２４の車体内側（車室内側）の端部２４Ａと空気吹出口２６の車体内側（車室内側）の端部２６Ａとの左右方向の位置は同じであるが、空気取入口２４の車体外側の端部２４Ｂは空気吹出口２６の車体外側の端部２６Ｂより車体内側の位置にある。空気吹出口２６は上壁１４Ａの左右方向の略全域（剥離部Ｘの略全域）に亘って延在しているのに対して空気取入口２４は、空気吹出口２６よりスロット長が短く、空気吹出口２６に対して車体内側に偏って形成されている。
【００２９】
空気取入口２４および空気吹出口２６のスロット幅は、各々全長に亘って一定であり、空気取入口２４のスロット幅は空気吹出口２６のスロット幅より大きく、空気取入口２４の開口面積と空気吹出口２６の開口面積とは略同一である。
【００３０】
空気取入口２４と空気吹出口２６とはアウタカバー１４の内側に形成された連通路２８によって互いに連通している。連通路２８は、スロット方向（左右方向）の全域に亘って空気取入口２４と空気吹出口２６とを連通すべく左右方向に長いスロット状（スリット状）の通路である。
【００３１】
図４に示されているように、連通路２８の車体後方側の壁（後壁）３０は、内部空間１４Ｇ（機器を収容する内室）の前側上部を画成する隔壁をなすものであり、アウタカバー１４の内面に接着等によって固定されたアウタカバー１４とは別の樹脂成形品の湾曲板部材３２によって構成されている。連通路２８の車体前方側の壁（前壁）３４は、アウタカバー１４の前側上部を内部空間１４Ｇ側（車体後方側）に膨出成形した膨出成形部３６によって構成されている。
【００３２】
後壁３０および前壁３４は、連通路２８に於ける空気の流れ方向に沿って車体後方に向けて凸をなす湾曲形状をしており、空気取入口２４および空気吹出口２６に折曲部を含むことなく空気取入口２４および空気吹出口２６の部分の略法線方向に沿って滑らかに連続するように接続されている。
【００３３】
連通路２８が、後壁３０および前壁３４によって車体後方に向けて凸形状をなしているので、車両用アウタミラー装置の大型化を招くことなく、空力騒音の低減を行うことができ、車室内静粛性の向上を図ることができる。
【００３４】
連通路２８は内部空間１４Ｇ側に膨出することになるが、内部空間１４Ｇの下側に配置されている内蔵用機器２２の上方にできるデッドスペースに配置されているので、デッドスペースの有効活用のもとに連通路２８がアウタカバー１４の大型化を招くことがない。換言すると、内蔵用機器２２を内部空間１４Ｇの下側にオフセット配置することによって内蔵用機器２２の上流側にスペースを確保し、このスペースに連通路２８が配置されることにより、連通路２８が上面視で内蔵用機器２２と重なる部分を含む配置になり、デッドスペースの有効利用のもとにアウタカバー１４の小型化が可能になる。
【００３５】
図２に示されているように、連通路２８の車体内側の側面を画定する側壁２８Ａは、アウタカバー１４あるいは湾曲板部材３２に一体成形され、空気取入口２４の車体内側の端部２４Ａと空気吹出口２６の車体内側の端部２６Ａとを直線で結ぶように延在した扁平な壁によって構成されている。連通路２８の車体外側の側面を画定する側壁２８Ｂは、アウタカバー１４あるいは湾曲板部材３２に一体成形され、空気取入口２４の車体外側の端部２４Ｂと空気吹出口２６の車体外側の端部２６Ｂとを曲線を含む折れ線で結ぶように延在した湾曲した壁によって構成されている。
【００３６】
自動車が走行すると、アウタミラー装置１０は空気の流れ場中に置かれることになり、アウタカバー１４の前壁１４Ｃに衝突した空気は、上壁１４Ａ、下壁１４Ｂ、左右の側壁１４Ｄ、１４Ｅの外壁面に沿って車体後方に向けて流れる。このうち、上壁１４Ａの外壁面に沿って流れる空気流が、図４に符号Ｆａによって示されている。空気流Ｆａは、剥離部Ｘに到達するまでは、剥離することなく上壁１４Ａの外壁面に沿って流れ、剥離部Ｘに到達した後は、上壁１４Ａの外壁面に沿って流れることなく、外壁面より剥離した流れになる。これにより、剥離部Ｘより下流側に、空気流Ｆａの剥離前後の主流方向の流速差に起因して２次元渦が発生する。２次元渦は、騒音の発生源になると共に、下流側にて３次元渦に変化して逸散するため、更なる騒音発生源になる。
【００３７】
このことに対して、本実施形態のアウタミラー装置１０では、アウタカバー１４の前壁１４Ｃに衝突した空気の一部が空気取入口２４から連通路２８に入り、連通路２８を流れて空気吹出口２６から空気流Ｆｂとして上壁１４Ａの上方に向けて吹き出る。空気吹出口２６から吹き出した空気による空気流Ｆｂの流速は連通路２８における流路抵抗によって空気流Ｆａの流速より遅く、空気流Ｆｂは、剥離部Ｘより上流側において空気流Ｆａに衝突し、空気流Ｆａに擾乱を与えると共に空気流Ｆａに対して空気抵抗になって空気流Ｆａの流速を低下させる働きをする。この働きは、空気吹出口２６が、左右方向に線状に延在する剥離部Ｘの略全域に亘って延在しているから、剥離部Ｘの略全域に亘って生じる。
【００３８】
空気流Ｆａの流速が低下することにより、剥離前後の主流方向の流速差が小さくなると共に、剥離部Ｘ付近における外壁面からの法線方向の離間距離に対する空気流Ｆａの主流方向の平均速度が低下し、平均速度の急激な変化も緩和される。
【００３９】
これらのことにより、剥離部Ｘ付近の空気流Ｆａ、つまり境界層の厚さが厚くなり、剥離部Ｘより下流側の２次元渦の発生が抑制される。２次元渦の発生が抑制されることにより、３次元渦の発生も抑制される。これらのことにより、２次元渦ならびに３次元渦に起因する騒音の発生が低減し、車内の静粛性が向上する。
【００４０】
連通路２８の後壁３０および前壁３４が、連通路２８に於ける空気の流れ方向に沿って車体後方に向けて凸をなす湾曲形状をしていて空気取入口２４および空気吹出口２６に折曲部を含むことなく略法線方向に滑らかに連続するように接続されているから、空気取入口２４から連通路２８に入った空気は、後壁３０および前壁３４に沿って乱流を生じることなく連通路２８を整流状態で空気吹出口２６へ向けて滑らかに連続する円弧状の流線をもって流れる。
【００４１】
これにより、空気取入口２４付近の流路抵抗が大きくなることがなく、圧損が低減し、空気が空気取入口２４から連通路２８に良好に取り入れられ、空力騒音を低減するのに必要な空気量を確保するために空気取入口２４の開口面積や連通路２８の通路断面積を大きくする必要がなくなり、アウタカバー１４の小型化やデザイン性を損ねることがない。また、空気吹出口２６付近の流路抵抗も大きくなることがなく、空気吹出口２６から外部に吹き出る空気の流速が低下することがなく、圧損が低減し、空気吹出口２６から外部に吹き出る空気の吹き出し方向が不規則なものになることもない。これらのことにより、剥離による空力騒音の低減が効果的に行われる。
【００４２】
空気取入口２４と空気吹出口２６との開口面積比は１：１程度であってよく、この開口面積比の最適設定によって空気吹出口２６より吹き出す空気の流速を、剥離による空力騒音の低減のための最適値にすることができる。
【００４３】
剥離による空力騒音の音圧分布は、アウタカバー１４の外壁形状によって決まるアウタカバー１４の外壁面に沿って流れる空気の流速分布に相関する。アウトサイドミラー装置のアウタカバー１４が図示されているような横長の砲弾形である場合には、アウタカバー１４の車体内側のほうが車体外側に比してアウタカバー１４の外壁面に沿って流れる空気の流速が速く、車体内側のほうが車体外側に比して剥離による空力騒音の音圧レベルが高い。
【００４４】
図２に示されているように、空気吹出口２６が空気取入口２４より車体外側に長く延在しているから、空気取入口２４から連通路２８を通って空気吹出口２６へ流れる空気の流路長（連通路２８における空気流れの距離）は、空気取入口２４と空気吹出口２６とが車体前後方向（上壁１４Ａにおける空気流れ方向）で見て互いに並行している領域Ａでは、空気取入口２４と空気吹出口２６とを、これらのスロット長手方向に略直交する方向（車体前後方向）に直線で結ぶ流路長ａになり、空気取入口２４が存在せずに空気吹出口２６のみが存在する領域Ｂでは、空気取入口２４と空気吹出口２６とを、これらのスロット長手方向に沿う方向の成分を含んで斜めに結ぶ流路長ｂになる。
【００４５】
領域Ａと領域Ｂとの境界部Ｃより車体内側（車室に近い側）にできる領域Ａの流路長ａは、境界部Ｃより車体外側にできる領域Ｂの流路長ｂより短いので、領域Ｂより領域Ａのほうが、流路抵抗が小さい。換言すると、領域Ｂの流路長ｂは、境界部Ｃより車体内側にできる領域Ａの流路長ａより長いので、領域Ｂより領域Ａのほうが、流路抵抗が大きい。
【００４６】
これにより、空気吹出口２６のうち領域Ｂより吹き出る空気の流速は領域Ａより吹き出る空気の流速より遅く、領域Ｂより吹き出る空気の流量は領域Ａより吹き出る空気の流量より少なくなるから、領域Ａにおいては、空気吹出口２６より吹き出る空気の流速不足を生じることなく、車体外側に比して音圧レベルが高い高騒音領域になる車体内側の剥離による騒音の低減が確実に行われる。領域Ｂにおいては、空気吹出口２６より吹き出る空気の流速が過剰になることがなく、車体外側に比して音圧レベルが低い低騒音領域になる車体内側の剥離による騒音の低減が、空気吹出口２６から吹き出される空気の流れに起因する騒音を生じることなく確実に行われる。
【００４７】
領域Ｂにおける流路長ｂは境界部Ｃより車体外側に向かうほど徐々に長くなるから、境界部Ｃより車体外側に向かうほど徐々に低音圧レベルになることに対応し、低騒音領域における騒音の低減が、空気吹出口２６から吹き出される空気の流れに起因する騒音を生じることなく効果的に行われるようになる。
【００４８】
領域Ｂにおける流路長ｂの変化は、空気取入口２４と空気吹出口２６とのスロット長手方向の長さの相違量、領域Ｂにおける空気吹出口２６および側壁２８Ｂの平面視の形状等により決まり、アウタカバー１４の外壁面に沿って流れる空気の流速分布は、換言すると、剥離による音圧分布は、アウタカバー１４の外壁形状によって決まるから、これらのことは、アウタカバー１４の外壁形状に応じて定められればよく、一つの手法として、風洞実験等によって音圧分布を解明して最適値を見出すことができる。
【００４９】
つぎに、本発明による車両用アウタミラー装置の実施形態２を、図５を参照して説明する。なお、図５において、図４に対応する部分は、図４に付した符号と同一の符号を付けて、その説明を省略する。
【００５０】
実施形態２では、連通路２８の前壁３４がアウタカバー１４の上壁１４Ａの車体後方に向けて凹をなす内面により画成されている。つまり、前壁３４は車体後方に向けて凹をなす湾曲形状をしている。連通路２８の後壁３０は、実施形態１と同様に、湾曲板部材３２によって車体後方に向けて凸をなす湾曲形状をしている。
【００５１】
これにより、連通路２８は、空気取入口２４および空気吹出口２６のスロット延在方向に直交する断面（図５）で見て、車体前方に拡張された空気溜まり状に形成されている。
【００５２】
空気取入口２４から連通路２８に入った空気の多くは、後壁３０に沿って流れるから、実施形態２でも実施形態１と同様の作用、効果が得られる。実施形態２では、前壁３４側に膨らんだ空気溜まり状の領域に淀んでいる空気と後壁３０に沿って流れる空気との摩擦によって小さい渦流が生じ、空気吹出口２６より外部に吹き出る空気の流速を調整する効果が得られる。
【００５３】
つぎに、本発明による車両用アウタミラー装置の実施形態３を、図６、図７を参照して説明する。なお、図６、図７において、図２、図３に対応する部分は、図２、図３に付した符号と同一の符号を付けて、その説明を省略する。
【００５４】
実施形態３では、空気吹出口２６が、スロット延在方向の中間部に、車体内側から車体外側に向かうに従って車体後側に向けて傾斜した部分２６Ｃを含み、車体外側の領域Ｂの流路長ｂが、車体内側の領域Ａの流路長ａより、より長くなる設定になっている。
【００５５】
実施形態３でも、空気吹出口２６のうち領域Ｂより吹き出る空気の流速は領域Ａより吹き出る空気の流速より遅く、領域Ｂより吹き出る空気の流量は領域Ａより吹き出る空気の流量より少なくなるから、領域Ａにおいては、空気吹出口２６より吹き出る空気の流速不足を生じることなく、車体外側に比して音圧レベルが高い高騒音領域になる車体内側の剥離による騒音の低減が確実に行われる。領域Ｂにおいては、空気吹出口２６より吹き出る空気の流速が過剰になることがなく、車体外側に比して音圧レベルが低い低騒音領域になる車体内側の剥離による騒音の低減が、空気吹出口２６から吹き出される空気の流れに起因する騒音を生じることなく確実に行われる。
【００５６】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００５７】
例えば、空気吹出口２６は、アウタカバー１４の上壁１４Ａだけでなく、図８に示されているように、下壁１４Ｂや側壁１４Ｄにも設けられてよい。空気取入口２４は、何れの空気吹出口２６のためのものも走行風の取り入れのために前壁１４Ｃに形成される。上壁１４Ａや下壁１４Ｂに形成される空気吹出口２６は車体幅方向（左右方向）に延在するスロット状の開口であるが、側壁１４Ｄに形成される空気吹出口２６は上下方向に延在するスロット状の開口になる。
【００５８】
側壁２８Ｂは、湾曲したものに限られることはなく、空気取入口２４の端部２４Ｂと空気吹出口２６の端部２６Ｂとを斜めに直線的に結ぶものであってもよい。空気吹出口２６の正面視および平面視での形状も、直線や折れ線の形状に限られることなく、湾曲形状であってもよい。また。空気取入口２４と空気吹出口２６とが同長で、空気吹出口２６が折れ線等によって互いに非平行な部分を含んでいてもよい。空気取入口２４および空気吹出口２６のスロット幅は、スロット延在方向に変化してもよい。また、アウタカバー１４は竪長（上下方向に長い）の砲弾形の流線形状をしていてもよい。
【００５９】
連通路２８は、湾曲して車体後方に向けて凸形状をなしているものに限られることなく、図９に示されているように、鉤形に折曲して車体後方に向けて凸形状をなしていてもよい。また、図５に示されている実施形態の変形例として、図１０に示されているように、後壁３０が鉤形に折曲して車体後方に向けて凸形状をなしていて、前壁３４がアウタカバー１４の上壁１４Ａの車体後方に向けて凹をなす内面により画成され、車体後方に向けて凹をなす湾曲形状をしていてもよい。
【００６０】
また、上記実施形態に示した構成要素は必ずしも全てが必須なものではなく、本発明の趣旨を逸脱しない限りにおいて適宜取捨選択することが可能である。
【符号の説明】
【００６１】
１０    アウトサイドミラー装置
１２    ミラー本体
１４    アウタカバー
１６    インナカバー
１８    駆動装置
２０    電気ボックス
２２    内蔵用機器
２４    空気取入口
２６    空気吹出口
２８    連通路
３０    壁（後壁）
３２    湾曲板部材
３４    壁（前壁）
３６    膨出成形部
５０    サイドドア
５２    取付プレート
【図１】
2016155422.tif 000003
【図２】
2016155422.tif 000004
【図３】
2016155422.tif 000005
【図４】
2016155422.tif 000006
【図５】
2016155422.tif 000007
【図６】
2016155422.tif 000008
【図７】
2016155422.tif 000009
【図８】
2016155422.tif 000010
【図９】
2016155422.tif 000011
【図１０】
2016155422.tif 000012